(57)【要約】【課題】鍵の収納状態を直接的に検知できて、複雑な処理回路が不要となり構成簡易にして安価に形成し得るキーボックスを提供する。【解決手段】鍵が所定状態で収納される鍵収納部を有するボックス本体と、該ボックス本体の鍵収納部の前面開口を閉塞する蓋体と、鍵収納部への鍵の収納状態を検知する検知手段と、を備えたキーボックスであって、検知手段は、鍵が収納された際に鍵と収納動作と連動して所定方向に移動する蓋体の変位に基づいて鍵の収納状態を検知することを特徴とする。前記蓋体は、その外形形状が鍵収納部の前面開口の内形形状より小さく形成されると共に、前面開口内の上部に設けた軸を介して下端部が傾動可能に配設され、鍵が鍵収納部に収納された際に下端部が鍵収納部内に押し込まれた状態に設定される。【選択図】  図２
2008014040.tif 000002
【特許請求の範囲】
【請求項１】
鍵が所定状態で収納される鍵収納部を有するボックス本体と、該ボックス本体の鍵収納部の前面開口を閉塞する蓋体と、前記鍵収納部への鍵の収納状態を検知する検知手段と、を備えたキーボックスであって、
前記検知手段は、鍵が収納された際に鍵の収納動作と連動して移動する前記蓋体の変位に基づいて鍵の収納状態を検知することを特徴とするキーボックス。
【請求項２】
前記蓋体は、その外形形状が鍵収納部の前面開口の内形形状より小さく形成されると共に、前面開口内の上部に設けた軸を介して下端部が傾動可能に配設され、鍵が鍵収納部に収納された際に下端部が鍵収納部内に押し込まれた状態になることを特徴とする請求項１に記載のキーボックス。
【請求項３】
前記鍵収納部は、その底面部が前記蓋体の先端部の傾動軌跡に対応した円弧形状に形成されていることを特徴とする請求項１または２に記載のキーボックス。
【発明の詳細な説明】
【技術分野】
【０００１】
本発明は、例えば体育館等の出入口用ドアの錠を解錠／施錠するための鍵を収納するキーボックに関する。
【背景技術】
【０００２】
従来、この種のキーボックスとしては、例えば内部に鍵収納部を有するボックス本体の前面開口部に蓋体を開閉可能に設け、この蓋体がリモコン操作やカードリーダへのカードの差し込みにより開閉されると共に、蓋体の開閉状態がマイクロスイッチにより検知されるものが知られている。そして、このキーボックスは、マイクロスイッチの検知信号によりボックス本体内への鍵の収納状態（鍵の有無）が例えば警備会社等に通報されるようになっている。なお、マイクロスイッチを使用したキーボックスは、例えば特許文献１に開示されている。
【特許文献１】特開平１０−３１７７４２号公報
【発明の開示】
【発明が解決しようとする課題】
【０００３】
しかしながら、このようなキーボックスにあっては、マイクロスイッチが鍵収納部を閉塞する蓋体の開閉動作に連動してオン・オフする構造であることから、鍵収納部への鍵の収納状態が、鍵に直接関与していない蓋体を介して間接的に検知する状態となって直接的な検知を行うことができない。そのため、鍵の収納忘れがあっても蓋体を閉じることによりマイロスイッチが鍵有り信号と同じ信号を出力することになり、これらを判別するためには、複雑な処理回路が必要となってキーボックスのコストアップを招き易い。
【０００４】
本発明は、このような事情に鑑みてなされたもので、その目的は、鍵の収納状態を直接的に検知できて、複雑な処理回路が不要となり構成簡易にして安価に形成し得るキーボックスを提供することにある。
【課題を解決するための手段】
【０００５】
かかる目的を達成すべく、本発明のうち請求項１に記載の発明は、鍵が所定状態で収納される鍵収納部を有するボックス本体と、該ボックス本体の鍵収納部の前面開口を閉塞する蓋体と、前記鍵収納部への鍵の収納状態を検知する検知手段と、を備えたキーボックスであって、前記検知手段は、鍵が収納された際に鍵の収納動作と連動して所定方向に移動する前記蓋体の変位に基づいて鍵の収納状態を検知することを特徴とする。
【０００６】
そして、前記蓋体は、請求項２に記載の発明のように、その外形形状が鍵収納部の前面開口の内形形状より小さく形成されると共に、前面開口内の上部に設けた軸を介して下端部が傾動可能に配設され、鍵が鍵収納部に収納された際に下端部が鍵収納部内に押し込まれた状態になることが好ましい。また、前記鍵収納部は、請求項３に記載の発明のように、その底面部が前記蓋体の先端部の傾動軌跡に対応した円弧形状に形成されていることが好ましい。
【発明の効果】
【０００７】
本発明のうち請求項１に記載の発明によれば、ボックス本体の鍵収納部を閉塞し鍵が収納された際に鍵と連動して移動する蓋体の変位に基づいて、検知手段により鍵の収納状態が検知されるため、鍵の収納に連動する変位板の変位により検知手段で鍵の収納状態を直接的に検知できて、複雑な処理回路が不要となり構成簡易にして安価なキーボックスを得ることができる。
【０００８】
また、請求項２に記載の発明によれば、請求項１に記載の発明の効果に加え、蓋体の外形形状が鍵収納部の前面開口の内形形状より小さく形成されると共に前面開口内に傾動可能に配設されているため、鍵が鍵収納部に収納されると蓋体の下端部が鍵収納部内に自動的に押し込まれた状態となり、例えばこの蓋体の位置を外部から視認できる構成とすること等により、鍵の収納状態を外部からでも一目で把握できる等、使い勝手に優れたキーボックスが得られる。
【０００９】
また、請求項３に記載の発明によれば、請求項１または２に記載の発明の効果に加え、鍵収納部の底面部が蓋体の先端部の傾動軌跡に対応した円弧形状に形成されているため、蓋体の傾動動作時にその先端部と鍵収納部の底面部間に隙間等の発生がなくなり、鍵の鍵収納部内への収納や取り出しをスムーズに行うことができる。
【発明を実施するための最良の形態】
【００１０】
以下、本発明の実施の形態を図面に基づいて詳細に説明する。
図１〜図６は、本発明に係わるキーボックスの一実施形態を示し、図１がその斜視図、図２が縦断面図、図３がキーボックスとリモコンの接続状態の制御系の概略ブロック図、図４がリモコンの斜視図、図５が使用方法の一例を示す説明図、図６が鍵の収納状態を示す図２と同様の断面図である。
【００１１】
図１に示すように、キーボックス１は、薄型の略直方体形状のボックス本体２を有し、このボックス本体２の前面開口部にはカバー３が開閉可能に配設されている。また、ボックス本体２は、図２に示すように、例えばその内部右寄りに、底面、上面、左右の側面及び背面により所定大きさの前面開口４ａが形成された鍵収納部４が設けられると共に、内部左寄りには、図示しない非常用の錠等が収納配置されている。なお、ボックス本体２内に配置される前記錠等の構成については、従来と略同様に構成されているため、その詳細な説明は省略する。
【００１２】
そして、前記鍵収納部４の前面開口には、本発明の蓋体としての変位板７が配置されている。この変位板７は、例えばめくら板により正面視で長方形状に形成され、その外形形状が鍵収納部４の前面開口４ａの内形形状より僅かに小さく設定されて、鍵収納部４の前面開口４ａ内に位置する状態で配置されている。また、この変位板７は、その左右の上端部７ａが鍵収納部４の両側面上部に軸支されることにより、その下端部７ｂが前後方向に傾動（回動）可能に配設されている。なお、変位板７は、通常その自重により図２に示すように垂直状態に設定されて、鍵収納部４の前面開口４ａが閉塞されるようになっている。
【００１３】
さらに、鍵収納部４の一方の側面の所定位置には、変位板７の変位を検出する光センサ９（検知手段）が配置されており、この光センサ９のリード線が後述する基板に接続されている。この光センサ９から照射される赤外線により変位板７の変位が検知され、その信号が前記基板６を介して後述するリモコン１２に出力されることになる。なお、変位板７の変位を検知する検知手段としては、側面に設けた光センサ９に限らず、マイクロスイッチや歪みゲージ等の他の適宜のセンサを使用することができる。
【００１４】
前記鍵収納部４の底面部には、ガイド板１０が配置されており、このガイド板１０の内面１０ａの形状は、前記変位板７の先端部である下端部７ｂの傾動動作時の軌跡と略一致するように円弧形状に形成されている。また、ガイド板１０の前端部には、上方に所定寸法に立ち上がったストッパー部１０ｂが設けられており、このストッパー部１０ｂにより変位板７の前面開口４ａから前方への飛び出しが防止されて、変位板７で鍵収納部４の前面開口４ａが閉塞されると共に、後述する如く鍵収納部４内に収納された鍵１１の前方への飛び出しが防止されるようになっている。
【００１５】
なお、ボックス本体２の鍵収納部４の大きさやガイド板１０の大きさは、収納される鍵１１の大きさに応じて、鍵１１がガイド板１０上に載置され得る大きさに設定されると共に、ボックス本体２に内蔵される前記基板６としては、光センサ９の検知信号を処理する処理回路が組み込まれた基板か、もしくは光センサ９の検知信号を後述するリモコン１２にそのままの状態で送信する中継基板等が使用される。
【００１６】
次に、このように構成されたキーボックス１の使用方法の一例を図５に基づいて説明する。先ず、前記キーボックス１は、体育館の入口近傍の電設用ボックスや所定の壁面にリモコン１２と共に設置されて使用される。この時、リモコン１２は、図４に示すように、警備状態や光センサ９の状態を表示する液晶表示部１２ａと、各状態を音声で知らせるスピーカ部１２ｂと、カードデータ等を読み取る非接触型の読み取り部１２ｃと、操作釦１２ｄ等によって構成されている。そして、このリモコン１２は、図３に示すように、その内部に、ＣＰＵ１３、ＲＯＭ１４、ＲＡＭ１５、前記キーボックス１の歪みゲージ９の信号が入力されるインターフェース（Ｉ／Ｆ）１６等を有すると共に、ＣＰＵ１３で処理した所定の信号を警備会社１８に送信する送信部１７等が制御基板上に構築されて配置されている。
【００１７】
このリモコン１２とキーボックス１の設置状態において、体育館の使用者が鍵１１を開けて体育館に入ろうとする場合は、図５に示すように、リモコン１２を操作して警備会社１８により警戒状態に設定されているキーボックス１の警戒状態を解除（Ｋ１）し、キーボックス１のカバー３を例えば自動で開放（Ｋ２）させる。カバー３が開放されると、ボックス本体２の鍵収納部４内に鍵１１が収納されていることから、変位板７が図６に示すように後方側に傾動して鍵収納部４の前面開口４ａが開放されている。この開放している前面開口４ａを利用して鍵収納部４内の鍵１１が使用者により取り出される（Ｋ３）。
【００１８】
そして、鍵１１が鍵収納部４から取り出されると、鍵１１の取り出しに連動して変位板７がその自重により前方に傾動して、図２に示す垂直状態となり、鍵収納部４の前面開口４ａが閉塞されると共に、変位板７の垂直位置への復帰により光センサ９の検知範囲から変位板７が外れて、光センサ９が鍵１１が収納されていない状態を検知、すなわち光センサ９から鍵無し信号が基板６を介してリモコン１２に出力される。この状態で使用者が取り出した鍵１１を使用して体育館のドアの錠を解除することにより、体育館の使用が可能となる。
【００１９】
一方、体育館の使用が終了した場合は、鍵１１によりドアの錠を施錠し、この施錠した鍵１１をキーボックス１の鍵収納部４内に収納（Ｋ４）する。この鍵１１の収納は、鍵１１を鍵収納部４内の変位板７の下端部７ｂに押し当てて後方側に押し込むことにより行われ、図６に示すように、鍵１１の押し込みで変位板７が後方側に傾動すると共に、鍵１１が変位板７の下端部７ｂ前方のガイド板１０上に載置状態でかつガイド板１０のストッパー１０ｂにより前方への飛び出しが防止された状態で鍵収納部４に収納される。
【００２０】
また、鍵１１の押し込みで変位板７が所定角度傾動して光センサ９の検知範囲に入ると、光センサ９が変位板７の位置、すなわち鍵１１の収納状態を検知して、鍵有り信号が基板６を介してリモコン１２に出力される。また、変位板７も鍵１１が前方に収納されてることから、その前方への傾動動作（戻り）が規制されて収納位置に維持されることになる。なお、鍵１１の鍵収納部４への収納時に、鍵収納部４の底面部に変位板７の傾動軌跡に合致した内面形状のガイド板１０が配置されているため、変位板７の下端部７ｂ先端とガイド板１０の内面１０ａとの間の隙間が略一定に維持され、隙間への鍵１１の嵌り込み等がなくなり、鍵１１のスムーズな収納が可能となる。
【００２１】
そして、鍵１１をガイド板１０上に載置収納したらカバー３を閉じ（Ｋ５）、その後リモコン１２を操作して警戒設定（Ｋ６）することにより、リモコン１２の送信部１７から警戒信号が警備会社１８に送信されて警戒状態に設定される。つまり、体育館用の鍵１１によりキーボックス１の変位板７を後方側に押すことにより、変位板７が後方側に傾動してこの変位板７の下端部７ｂとガイド板１０のストッパー１０ｂとで鍵１１が挟まれて状態で収納され、また、鍵１１を取り出すことにより変位板７が前方に傾動して鍵１１が収納されていない状態に設定されると共に、鍵１１の収納、非収納に応じて連動する変位板７の傾動位置により鍵１１の有無が光センサ９により直接的に検知されることになる。
【００２２】
このように、上記実施形態のキーボックス１にあっては、ボックス本体２の鍵収納部４を閉塞し鍵１１が収納された際に後方側に傾動する変位板７の変位（傾動動作）に基づいて、鍵収納部４に配置した光センサ９により鍵１１の収納状態が検知されるため、鍵１１の収納に連動して傾動する変位板７により鍵１１の収納状態を直接的に検知できて、複雑な処理回路が不要となり構成簡易にして安価なキーボックス１を得ることができる。
【００２３】
また、変位板７の外形形状が鍵収納部４の前面開口４ａの内形形状より僅かに小さく形成されると共に前面開口４ａ内に傾動可能に配設されているため、鍵１１が鍵収納部４に収納されると変位板７の下端部７ｂが鍵収納部４内に自動的に押し込まれた状態となり、この変位板７の位置により鍵１１の収納状態を使用者が簡単に把握することができる。さらに、鍵収納部４の底面部に変位板７の下端部７ｂの傾動軌跡に対応した内面１０ａの円弧形状のガイド板１０が配置されているため、変位板７の傾動動作時にその下端部７ｂと鍵収納部４の底面部であるガイド板１０の内面１０ａ間に隙間等の発生がなくなり、鍵１１の鍵収納部４内への収納や取り出しをスムーズに行うことができる。
【００２４】
また、鍵１１に連動して傾動する変位板７の変位を光センサ９で検知することにより鍵１１の状態が直接的に検知されるため、従来のような複雑な処理回路が不要となり構成簡易にして安価なキーボックス１を得ることができると同時に、耐久性に優れた変位板７の変位を光センサ９で長期に亘り安定して検知できて、信頼性の高いキーボックス１を得ることが可能となる。また、カバー３を開放して鍵１１で変位板７を押し込むだけで、光センサ９により鍵１１の有無が自動的に検知されるため、鍵１１の取り出しや収納操作を極めて簡単に行うことができると共に、キーボックス１をリモコン１２と併用することで、警戒設定や警戒解除を簡単かつ確実に行うことができて、使い勝手と操作性に優れた監視システムの構築が可能となる。
【００２５】
なお、上記実施形態において、キーボックス１のカバー３に、図１の二点鎖線で示すように、例えば鍵１１の収納状態を表示するＬＥＤ等の表示灯１９を設けてカバー３を開けない状態で鍵１１の有無を使用者に認識させるようにしても良いし、例えばカバー３を透明板で形成して、変位板７の傾動位置により鍵１１の有無を外部から一目で把握できるように構成することもできる。また、ボックス本体２内の適宜位置にＬＥＤ等からなる図示しない室内灯を常時点灯状態で（もしくはカバー３の開放に応じて点灯するように）配置してボックス本体２内を照明し、外部が暗い場合でも鍵１１の出し入れを容易に行い得るようにしても良い。さらに、上記実施形態においては、変位板７が自重により垂直位置に戻るように構成したが、例えばバネによって変位板７に常に垂直位置に戻る付勢力を作用させて、初期位置への戻りを素早くかつ確実に行うように構成することもできる。
【００２６】
さらに、上記実施形態における、変位板７やガイド板１０の形状、検知手段の配置位置、リモコン１２とキーボックス１のブロック図、カバー３の形状やその開閉機構等は一例であって、例えば変位板７とガイド板１０を一体化して鍵収納部４の側面にストッパ機構を設けて変位板７の位置を規制したり、リモコン１２とキーボックス１を一体化した構造とする等、本発明に係わる各発明の要旨を逸脱しない範囲において適宜に変更することができる。
【産業上の利用可能性】
【００２７】
本発明は、体育館のドア用キーボックスに限らず、例えば各種ビルや倉庫用等の錠を有する全てのドアのキーボックスに適用できる。
【図面の簡単な説明】
【００２８】
【図１】本発明に係わるキーボックスの一実施形態を示す斜視図
【図２】同その鍵の非収納状態の縦断面図
【図３】同キーボックスとリモコンの接続状態の制御系の概略ブロック図
【図４】同そのリモコンの斜視図
【図５】同動作の一例を示す説明図
【図６】同鍵の収納状態の図２と同様の縦断面図
【符号の説明】
【００２９】
１・・・キーボックス、２・・・ボックス本体、３・・・カバー、４・・・鍵収納部、４ａ・・・前面開口、７・・・変位板（蓋体）、７ａ・・・上端部、７ｂ・・・下端部、９・・・光センサ、１０・・・ガイド板、１０ａ・・・内面、１０ｂ・・・ストッパー部、１１・・・鍵、１２・・・リモコン、１８・・・警備会社、１９・・・表示灯。
【図１】
2008014040.tif 000003
【図２】
2008014040.tif 000004
【図３】
2008014040.tif 000005
【図４】
2008014040.tif 000006
【図５】
2008014040.tif 000007
【図６】
2008014040.tif 000008